(57)【特許請求の範囲】
【請求項１】
挿入されたマットを移送する送り機構と、前記送り機構によって取り込まれたマットを洗浄液により洗浄する洗浄機構と、前記洗浄機構によって洗浄されたマットから洗浄液を絞り取る絞り機構と、前記送り機構、前記洗浄機構及び前記絞り機構を駆動源の動力により駆動する駆動機構と、前記駆動源の作動・停止を操作する操作機構とを有するマット洗浄機において、
前記絞り機構は、前記駆動源によって回転し、マットを挟持可能に設けられた二つの絞りローラを有し、
少なくとも一方の絞りローラが、他方の絞りローラと接離する方向に移動可能に設けられ、
移動可能な絞りローラを他方の絞りローラに圧着する圧着手段を備え、
可動に設けられた一方の絞りローラの近傍には、当該絞りローラから独立して移動可能な開離用カムが設けられ、
前記開離用カムが設けられた絞りローラと異なる絞りローラには、これと同期して回転可能な回転カムが設けられ、
前記開離用カムは、前記駆動源の停止時に前記回転カムに当接し、前記圧着手段の圧着力に抗して前記絞りローラを開離させる当接位置と、前記駆動源の作動時に前記回転カムから外れ、前記絞りローラが互いに圧着される解除位置との間を移動可能に設けられ、
前記操作機構による前記駆動源の運転・停止操作に連動して、前記開離用カムを前記当接位置と前記解除位置との間で移動させるリンク機構を備えたことを特徴とするマット洗浄機。
【請求項２】
前記開離用カムを、前記解除位置側に常時付勢する復帰手段を有することを特徴とする請求項１記載のマット洗浄機。
【請求項３】
前記操作機構は、前記駆動源のスイッチと、移動又は回動により周縁部が前記スイッチに接離して前記スイッチを投入・遮断するスイッチカムと、回動可能に且つ前記スイッチカムと連動可能に設けられた操作レバーとを有し、
前記操作レバーの回動中には、前記スイッチの投入が維持され、前記操作レバーが一方の回動端に達したときにのみ前記スイッチが遮断されるように、前記スイッチカムの周縁部が形成されていることを特徴とする請求項１又は請求項２記載のマット洗浄機。
【請求項４】
前記洗浄機構は、洗浄中のマットに洗浄液を噴射する噴射手段と、前記噴射手段に洗浄液を供給する接続配管と、前記接続配管内を流れる液量を調節するバルブとを有し、
前記バルブの調節機構に前記操作レバーが連結されていることを特徴とする請求項３記載のマット洗浄機。
【発明の詳細な説明】
【０００１】
【発明の属する技術分野】
本発明は、例えば自動車の床用マット、玄関マットなどを水洗いするためのマット洗浄機に係り、特に、洗浄後のマットの水分を絞り取る機構に改良を施したマット洗浄機に関する。
【０００２】
【従来の技術】
従来から、自動車の床用マット等の水洗いを行うマット洗浄機が、ガソリンスタンド等において広く使用されている。この種のマット洗浄機は、送りローラによって内部に送り込まれたマットを、回転するブラシローラによって水洗いするものである。このようなマット洗浄機には、一般的に、水洗いの後、マットに付着した水分を絞り取るための絞りローラが設けられている。この絞りローラは、マットを上下から挟持するローラによって構成されているが、水分を絞り取る目的を有するものであるため、上下から強く圧着させた状態で回転させる必要がある。従って、絞りローラは強力な圧着ばね等によって、互いに圧着する方向に常に付勢しておかなければならない。しかし、作業が終わって絞りローラを停止させた後にも、そのまま圧着状態を維持させてこれを放置しておくと、ローラが変形するおそれがある。特に、冬季には、ローラに付着した洗浄水が凍り、上下のローラが破損したり、始動が困難になるという問題がある。
【０００３】
これに対処するため、通常のマット洗浄機においては、ＯＮ・ＯＦＦ用の操作レバーの力で、絞りローラの圧着作業とこれを開離する作業とを行っていた。すなわち、操作レバーを倒してスイッチをＯＮにすると、送りローラ、ブラシローラ及び絞りローラが回転を始めるとともに、ばねの力が上下の絞りローラに加わり、絞りローラが互いに圧着される。そして、操作レバーを戻してスイッチをＯＦＦにすると、ばねの力に抗して絞りローラが離れる。このように、スイッチのＯＮ・ＯＦＦ操作と絞りローラの圧着・開離操作を同期させることにより、絞りローラの変形を防止することができる。
【０００４】
また、ブラシローラによって洗浄中のマットには、給水管を介して供給される洗浄用の水が噴射されるが、この洗浄水の供給・停止を行うためのバルブ操作は、通常、上記操作レバーによって行う構成となっている。
【０００５】
【発明が解決しようとする課題】
しかしながら、以上のようなマット洗浄機の一例には、以下のような改良すべき点があった。すなわち、マットに付着した洗浄水を効果的に絞り取るためには、上下の絞りローラの圧着力を非常に大きくする必要がある。このため、絞りローラを圧着するばねは力の大きいものを用いなければならず、これに逆らって絞りローラを完全に開離させるために要求される操作力も非常に大きくなる。従って、力の弱い操作者は、操作レバーを完全に上下させることが困難となり、スイッチは切れても、絞りローラが圧着した状態に放置されたり、スイッチが入っても、絞りローラが圧着されない状態になるという可能性が高くなる。特に、最近では、ガソリンスタンドの従業員として女性も多く、軽い力で操作ができるマット洗浄機の方が望ましいといえるが、上記のような構成では、そのような要請に沿わない。
【０００６】
但し、操作レバーの駆動力は、梃の力を利用して伝える構造のものが大半であるため、操作レバーを長くすることにより操作に要する力をある程度軽減させることはできる。しかし、このように操作レバーを長くすると、マット洗浄機全体が大型化するという問題がある。
【０００７】
また、従来は、上記のように、スイッチのＯＮ・ＯＦＦ操作、絞りローラの圧着・開離操作、洗浄水の供給・停止のバルブ操作を一つの操作レバーで行っていた。しかし、洗浄水の水量調節のためのバルブ操作は、以下の理由により、別のレバーによって行う必要があった。すなわち、絞りローラの圧着・開離のためには、操作レバーをＯＮ位置またはＯＦＦ位置にまで完全に倒す必要がある。ところが、水量調節の場合には、所望の水量に応じてレバーを中間で止める等の作業が必要となるため、上記の一つの操作レバーによって水量調節を行う構成とすることは困難となる。従って、従来のマット洗浄機には、ＯＮ・ＯＦＦ用と水量調節用の２本のレバーが必要となるとともに、洗浄水の供給・停止用と水量調節用の２つのバルブが給水管上に必要となるため、部品点数が増大していた。
【０００８】
本発明は、上記のような従来技術の問題点を解決するために開発されたものであり、その主たる目的は、駆動源の作動・停止操作と絞りローラの圧着・開離操作とを、軽い力で同期させて行うことができるマット洗浄機を提供することである。
【０００９】
本発明の他の目的は、駆動源の作動・停止操作、絞りローラの圧着・開離操作、洗浄液の供給・停止操作、洗浄液量の調節操作を、単一の操作レバーで行うことができるマット洗浄機を提供することである。
【００１０】
【課題を解決するための手段】
上記の目的を達成するために、本発明は、挿入されたマットを移送する送り機構と、前記送り機構によって取り込まれたマットを洗浄液により洗浄する洗浄機構と、前記洗浄機構によって洗浄されたマットから洗浄液を絞り取る絞り機構と、前記送り機構、前記洗浄機構及び前記絞り機構を駆動源の動力により駆動する駆動機構と、前記駆動源の作動・停止を操作する操作機構とを有するマット洗浄機において、以下のような技術的特徴を有する。
【００１１】
すなわち、請求項１記載の発明は、前記絞り機構は、前記駆動源によって回転し、マットを挟持可能に設けられた二つの絞りローラを有し、少なくとも一方の絞りローラが、他方の絞りローラと接離する方向に移動可能に設けられ、移動可能な絞りローラを他方の絞りローラに圧着する圧着手段を備え、可動に設けられた一方の絞りローラの近傍には、当該絞りローラから独立して移動可能な開離用カムが設けられ、前記開離用カムが設けられた絞りローラと異なる絞りローラには、これと同期して回転可能な回転カムが設けられ、前記開離用カムは、前記駆動源の停止時に前記回転カムに当接し、前記圧着手段の圧着力に抗して前記絞りローラを開離させる当接位置と、前記駆動源の作動時に前記回転カムから外れ、前記絞りローラが互いに圧着される解除位置との間を移動可能に設けられ、前記操作機構による前記駆動源の運転・停止操作に連動して、前記開離用カムを前記当接位置と前記解除位置との間で移動させるリンク機構を備えたことを特徴とする。
【００１２】
以上のような請求項１記載の発明では、駆動源の作動時には、送り機構によって取り込まれたマットが、洗浄機構によって洗浄された後、回転する二つの絞りローラによって挟持される。この作動時には、開離用カムが回転カムから外れた解除位置にあるので、圧着手段によって絞りローラが互いに圧着されている。従って、二つの絞りローラによって洗浄液が十分に絞り取られる。そして、操作機構によって駆動源の作動を停止すると、開離用カムが、リンク機構によって当接位置側に移動して回転カムに当接する。すると、回転カムの惰性の回転力によって、開離用カム及び一方の絞りローラに圧着手段の圧着力に抗する力が働き、二つの絞りローラが開離した状態で停止する。
【００１３】
請求項２記載の発明は、請求項１記載のマット洗浄機において、前記開離用カムを、前記解除位置側に常時付勢する復帰手段を有することを特徴とする。
【００１４】
以上のような請求項２記載の発明では、復帰手段によって、開離用カムが解除位置側に常時付勢されているので、停止状態から駆動源の運転を開始して、開離用カムと回転カムとの当接が外れると、開離用カムが自動的に解除位置に復帰する。
【００１５】
請求項３記載の発明は、請求項１又は請求項２記載のマット洗浄機において、前記操作機構は、前記駆動源のスイッチと、移動又は回動により周縁部が前記スイッチに接離して前記スイッチを投入・遮断するスイッチカムと、回動可能に且つ前記スイッチカムと連動可能に設けられた操作レバーとを有し、前記操作レバーの回動中には、前記スイッチの投入が維持され、前記操作レバーが一方の回動端に達したときにのみ前記スイッチが遮断されるように、前記スイッチカムの周縁部が形成されていることを特徴とする。
【００１６】
以上のような請求項３記載の発明では、操作レバーを投入方向に回動すると、スイッチカムによって駆動源のスイッチが投入され、マット洗浄機が作動する。この作動状態から操作レバーを遮断方向に回動させると、回動中には、スイッチカムによってスイッチが投入状態に維持される。そして、操作レバーを回動端にまで回動させたときに、スイッチカムによってスイッチが遮断される。
【００１７】
請求項４記載の発明は、請求項３記載のマット洗浄機において、前記洗浄機構は、洗浄中のマットに洗浄液を噴射する噴射手段と、前記噴射手段に洗浄液を供給する接続配管と、前記接続配管内を流れる液量を調節するバルブとを有し、前記バルブの調節機構に前記操作レバーが連結されていることを特徴とする。
【００１８】
以上のような請求項４記載の発明では、バルブに操作レバーが連結されているので、作動中に噴射される液量を操作レバーの回動量によって調節することができる。そして、操作レバーが一方の回動端に達しない限り、スイッチの投入状態が維持されているので、操作レバーの回動量を変化させても作動状態は維持される。
【００１９】
【発明の実施の形態】
請求項１〜４記載の発明に対応する一つの実施の形態を、図面に従って以下に説明する。なお、請求項１記載の駆動源はモータ、請求項２記載の復帰手段はワイヤ、プーリ及び復帰ばね、請求項４記載の噴射手段はノズル、接続配管は配管及び給水パイプとする。
【００２０】
（１）実施の形態の構成
本実施の形態の構成を図１〜１３に従って以下に説明する。
【００２１】
▲１▼マット送り機構及びマット洗浄機構
まず、マットをマット洗浄機内部に取り込むマット送り機構と、マットを洗浄するマット洗浄機構を以下に説明する。すなわち、図１に示すように、マット洗浄機のフレーム１の前面には、上下にガイドを有するマット挿入口１ａが設けられている。フレーム１の内部におけるマット挿入口１ａの後方には、図２に示すように、固定送りローラ２と、この固定送りローラ２に接離可能な可動送りローラ３とが設けられている。可動送りローラ３の軸３ａは、ブラケット４に取り付けられるとともに、フレーム１に形成されたガイド孔１ｂに沿って、上下に移動可能に設けられている。ブラケット４は、その一端の軸４ａを支点としてフレーム１に回動自在に取り付けられ、その他端とフレーム１下部との間には、ばね５が設けられている。このばね５によって、可動送りローラ３は固定送りローラ２に圧着する方向に常に付勢されている。なお、図５に示すように、フレーム１の反対側面にも、可動送りローラ３及び固定送りローラ２に対応する箇所に、ブラケット４及びばね５が同様の構成で設けられている。
【００２２】
これらの送りローラ２，３の後方には、図２に示すように、マットを上下から支持して洗浄するブラシローラ６ａ，６ｂが設けられている。そして、送りローラ２，３の近傍と、ブラシローラ６ｂの近傍には、マットに洗浄水を噴射するノズル７，７が設けられ、これらのノズル７，７は、配管７ａ，７ａを介して給水パイプ８に接続されている。この給水パイプ８には、操作レバー２１の操作によって開閉し、水量調節可能なバルブ９が設けられている。
【００２３】
▲２▼マット絞り機構
次に、洗浄されたマットの水分を絞り取るマット絞り機構の構成を説明する。すなわち、図２に示すように、ブラシローラ６ａ，６ｂの後方には、フレーム１に支持された固定絞りローラ１１と、この固定絞りローラ１１に対して接離可能に配設された可動絞りローラ１２とが設けられている。可動絞りローラ１２の軸１２ａは、フレーム１に形成された軸受け穴１ｃによって、上下動可能に支持されている。また、可動絞りローラ１２は、圧着レバー１４によって下方に付勢されている。つまり、圧着レバー１４は、一端が軸１４ａを支点としてフレーム１に回動自在に取り付けられ、その他端とフレーム１の下部との間に、圧着ばね１５が設けられている。従って、この圧着ばね１５によって圧着レバー１４が下方に回動する方向に付勢され、可動絞りローラ１２が固定絞りローラ１１に圧着する方向に常に付勢されている。
【００２４】
また、固定絞りローラ１１には、これと同軸で一体に回転する扇形の回転カム１６が設けられている。可動絞りローラ１２の支軸には、これと同軸で可動絞りローラ１２から独立して自由に回転可能な扇形の開離用カム１７が設けられている。さらに、可動絞りローラ１２の支軸には、これと同軸で、可動絞りローラ１２及び開離用カム１７から独立して回転可能な付勢プレート１３が設けられている。
【００２５】
付勢プレート１３と操作レバー２１との間には、以下のようなリンク機構が設けられている。すなわち、付勢プレート１３の一端には、付勢リンク１８の一端が回動可能に連結されている。この付勢リンク１８の他端には長孔１８ａが形成され、この長孔１８ａにはフレーム１に設けられた軸１８ｂが挿通されている。従って、付勢リンク１８は軸１８ｂを支点として回動可能に、かつ長孔１８ａの長さ分だけスライド移動可能に設けられている。
【００２６】
付勢リンク１８の長孔１８ａが設けられた端部側には、回動リンク１９が設けられている。この回動リンク１９は、フレーム１に回動可能に設けられ、その一端の押圧部１９ａが付勢リンク１８の端部に接離可能に設けられている。回動リンク１９の他端には、スライドリンク２０の一端が回動可能に設けられている。スライドリンク２０の他端は、操作レバー２１に固定された操作プレート２１ａに回動可能に設けられている。スライドリンク２０は、操作レバー２１の操作によって前後にスライド移動可能に設けられている。さらに、フレーム１におけるスライドリンク２０の下方には、上部に磁石を配設した保着部２９が設けられている。
【００２７】
また、付勢プレート１３と開離用カム１７とは、圧着レバー１４に設けられたストッパ１４ｂによって、その回動が一回転分に規制されている。開離用カム１７の端部には、開離用カム１７が図中反時計回りに一回転したときに、ストッパ１４ｂが入り込む切欠部１７ａが形成されている。また、開離用カム１７における切欠部１７ａの近傍には、付勢プレート１３の端部に当接する当接部１７ｂが形成されている。
【００２８】
そして、開離用カム１７の軸には、ワイヤ２２の一端が締結された締結部１７ｃが設けられている。このワイヤ２２の他端は、フレーム１の上部に設けられたプーリ２５を介して、フレーム１の下部に設けられた復帰ばね２４に接続されている。従って、開離用カム１７は、常に、可動絞りローラ１２の回転方向とは逆方向に回動するように付勢されている。
【００２９】
なお、図５に示すように、フレーム１の反対側面における可動絞りローラ１２及び固定絞りローラ１１に対応する箇所にも、軸受け穴１ｃ、圧着レバー１４、圧着ばね１５、回転カム１６、開離用カム１７、付勢プレート１３、付勢リンク１８、プーリ２５、ワイヤ２２及び復帰ばね２４が同様の構成により設けられている。
【００３０】
▲３▼駆動機構
以上のマット洗浄機構及びマット絞り機構を駆動するための駆動機構を、以下に説明する。すなわち、図３に示すように、フレーム１の図２と同一側面側においては、固定送りローラ２、ブラシローラ６ａ，６ｂ、固定絞りローラ１１の端部に、これらのローラを駆動するための駆動ギア３０が設けられている。そして、フレーム１の側面における上部側には、大ギア３１及び小ギア３２が、同軸にかつ同期して回転可能に設けられている。この大ギア３１とブラシローラ６ａ，６ｂの駆動ギア３０とは、チェーン３３によって連結されている。また、小ギア３２と固定送りローラ２及び固定絞りローラ１１の駆動ギア３０とは、チェーン３４によって連結されている。
【００３１】
一方、図４に示すように、フレーム１の底部にはモータ３５が配設され、その回転軸３５ａが、図２及び図３と反対側面において露出している。このモータ３５の回転軸３５ａは、ベルト３６を介して大プーリ３７を回転駆動可能な構成となっている。この大プーリ３７は、下段のブラシローラ６ｂと同軸に、かつ回動によりブラシローラ６ｂを駆動可能となるように設けられている。
【００３２】
また、図５に示すように、可動絞りローラ１２には、図２及び図３の側面と同様の構成により、付勢プレート１３及び付勢リンク１８が設けられている。この付勢リンク１８の長孔１８ａ側の端部には、スイッチプレート２６の押圧部２６ａが接離可能に設けられている。このスイッチプレート２６は、図１の側面における回動リンク１９と同軸に、かつ同期して回動するように設けられ、部分円状のスイッチカム２６ｂを有している。スイッチプレート２６の上方には、配電盤２７を介してモータ３５に接続されたスイッチ２８が設けられている。
【００３３】
このスイッチ２８には、その下部にローラを有するノブ２８ａが突出し、ローラがスイッチカム２６ｂの円弧状部分に当接している場合にはスイッチ２８がＯＮ、円弧状部分から外れている場合にはスイッチ２８がＯＦＦとなるように構成されている。なお、スイッチカム２６ｂの円弧状部分は、図２及び図５に示すように、操作レバー２１を完全に押し下げたときにのみノブ２８ａが外れ、スイッチ２８がＯＦＦとなる長さに設定されている。
【００３４】
（２）実施の形態の作用
以上のような構成を有する本実施の形態の作用を、「運転時」、「運転時における洗浄水量の調節」、「停止時」及び「再起動時」に分けて説明する。
【００３５】
▲１▼運転時
マット洗浄機構の運転時には、図６に示すように、操作レバー２１は押し上げられた状態にあり、スライドリンク２０が保着部２９上部の磁石に保着されることによって、各部材の角度が保持されている。スライドリンク２０に連結された回動リンク１９は、図中時計回りに回動した状態にあり、その押圧部１９ａは付勢リンク１８から開離している。このとき、付勢リンク１８の端部に連結された付勢プレート１３は、開離用カム１７の当接部１７ｂに当接しているが、開離用カム１７は復帰ばね２４によって付勢されているので、開離用カム１７とともにストッパ１４ｂの図中左側に当接している。従って、図１０に示すように、固定絞りローラ１１とともに回転する回転カム１６は、開離用カム１７に接触することがなく、圧着ばね１５の付勢力は可動絞りローラ１２にそのまま加わる。このため、上下の絞りローラ１１，１２が両カムに妨げられることなく圧着している。
【００３６】
一方、図８に示すように、スイッチ２８のノブ２８ａは、スイッチカム２６ｂの円弧状部分に当接しているので、スイッチ２８はＯＮの状態となっていて、モータ３５の回転軸３５ａが回転している。従って、図４に示したベルト３６を介して大プーリ３７が回転し、下部のブラシローラ６ｂが回転する。すると、図３に示したチェーン３３及び駆動ギア３０を介して上部のブラシローラ６ａ及び大ギア３１が回転する。さらに、大ギア３１の回転とともに小ギア３２が回転し、チェーン３４及び駆動ギア３０を介して固定送りローラ２及び固定絞りローラ１１が回転する。
【００３７】
また、スイッチプレート２６の押圧部２６ａは、付勢リンク１８から開離している。このとき、付勢リンク１８の端部に連結された付勢プレート１３は、開離用カム１７の当接部１７ｂに当接しているが、開離用カム１７は復帰ばね２４によって付勢されているので、開離用カム１７とともにストッパ１４ｂの図中右側に当接している。従って、回転カム１６は開離用カム１７に接触しておらず、上記のように上下の絞りローラ１１，１２の圧着状態が維持されている。なお、このとき、操作レバー２１は押し上げられているので、バルブ９が開いた状態となり、ノズル７，７から洗浄水が噴射している。
【００３８】
このような状態で挿入口１ａからマットを挿入すれば、マットはノズル７，７から洗浄水を噴射されながら、固定送りローラ２及び可動送りローラ３に狭持されて内部に取り込まれ、ブラシローラ６ａ，６ｂを通って洗浄される。さらに、このマットは、圧着状態にある固定絞りローラ１１及び可動絞りローラ１２に挟持されて水分を絞り取られた後、マット洗浄機の外部に排出される。
【００３９】
▲２▼運転時における洗浄水量の調節
運転中の洗浄水量の調節は、操作レバー２１を操作することによって行う。すなわち、図７に示すように、操作レバー２１を完全に上げたり完全に下げたりすることなく、その間で上下動させることによってバルブ９の開閉を制御する。すると、バルブ９の開閉の度合いによって、洗浄水の噴射量が調節される。このとき、スライドリンク２０は、保着部２９から開離した状態にあるので、微調整を行うことができる。
【００４０】
なお、このように、操作レバー２１の上下動によって水量調節を行ったとしても、操作レバー２１を完全に下に押し下げない限り、図８、図９に示すように、スイッチプレート２６におけるスイッチカム２６ｂの円弧状部分に、スイッチ２８のノブ２８ａが当接していて、スイッチ２８はＯＮのままである。従って、水量調節のために、操作レバー２１を上記のように途中の角度で上下動させても、スイッチ２８のＯＮの状態が維持される。
【００４１】
▲３▼停止時
以上のような運転状態にあるマット洗浄機のレバー２１を、図中下方に回動させると、図７及び図２に示すように、操作プレート２１ａ及びスライドリンク２０を介して回動リンク１９が図中反時計回りに回動し、スライドリンク２０が保着部２９上部の磁石に保着されることによって、その角度が保持される。一方、図９及び図５に示すように、回動リンク１９と同軸のスイッチプレート２６が、図中時計回りに回動するので、スイッチ２８のノブ２８ａがスイッチカム２６ｂの円弧状部分から外れてモータ３５のスイッチ２８がＯＦＦの状態となる。
【００４２】
同時に、回動リンク１９及びスイッチプレート２６の押圧部１９ａ，２６ａが、付勢リンク１８を押圧し、この付勢リンク１８が付勢プレート１３を回動させる。付勢プレート１３は開離用カム１７の当接部１７ｂに当接しているので、図１１に示すように、開離用カム１７も回動し、その外周が回転カム１６の回転軌道に入り込む。このため、図１２、図１３に示すように、スイッチ２８がＯＦＦとなった後の惰性で回動している回転カム１６の周辺が、開離用カム１７の周辺に接触し、回転カム１６の惰性の回転力で開離用カム１７が押し上げられる。すると、開離用カム１７と同軸に設けられた可動絞りローラ１２が、圧着ばね１５の付勢力に抗して固定絞りローラ１１と離れる方向に移動する。その結果、固定絞りローラ１１と可動絞りローラ１２との圧着が離れた状態で停止する。
【００４３】
▲４▼再起動時
以上のような停止状態から再びマット洗浄機を起動させる場合には、操作レバー２１を上方に回動させる。すると、図７及び図６に示すように、操作プレート２１ａ及びスライドリンク２０を介して回動リンク１９が図中時計回りに回動して押圧部１９ａが付勢リンク１８から離れ、スライドリンク２０が保着部２９上部の磁石に保着されることによって、その角度が保持される。一方、図９及び図８に示すように、回動リンク１９と同軸のスイッチプレート２６は、図中反時計回りに回動するので、スイッチ２８のノブ２８ａがスイッチカム２６ｂの円弧状部分に当接してモータ３５のスイッチ２８がＯＮの状態となる。
【００４４】
モータ３５が作動すると、上記の運転時において説明したように、固定絞りローラ１１が回転し、これと一体に回転カム１６も回転する。すると、図１４に示すように、回転カム１６に接触している開離用カム１７も回転する。両カム１６，１７が回転を続けると、開離用カム１７の切欠部１７ａに、ストッパ１４ｂが入り込む位置に達して、開離用カム１７から回転カム１６が離れる。その結果、可動絞りローラ１２は、圧着レバー１４及び圧着ばね１５の付勢力によって下方に押圧され、固定絞りローラ１１に圧着するので、従動回転を開始する。
【００４５】
そして、回転カム１６とのかみ合いが外れた開離用カム１７は、プーリ２５を介してワイヤ２２を引っ張る復帰ばね２４によって付勢されているので、可動絞りローラ１２の回転方向とは逆方向に回動し、図９に示す元の位置にまで引き戻される。この後、開離用カム１７の後方の縁がストッパ１４ｂに当たり、開離用カム１７の位置決めがなされる。
【００４６】
（３）実施の形態の効果
以上のような本実施の形態の効果は、以下の通りである。すなわち、運転停止時や運転開始時の操作レバー２１の操作においては、可動絞りローラ１２を圧着するための強力な圧着ばね１５に抗する力は必要ない。そして、操作レバー２１の操作後には、開離用カム１７と回転カム１６との働きによって、可動絞りローラ１２と固定絞りローラ１１とは自動的に開離・圧着する。従って、力の弱い操作者であっても、操作レバーを完全に戻すことができ、スイッチがＯＦＦとなった後に絞りローラ１１，１２が圧着した状態に放置されたり、スイッチがＯＮとなっても絞りローラ１１，１２が圧着されない状態になる可能性がなくなる。
【００４７】
また、操作レバー２１を長くしなくとも、操作に要する力を軽減させることができるので、マット洗浄機全体が大型化することもない。
【００４８】
さらに、スイッチのＯＮ・ＯＦＦ操作、絞りローラの圧着・開離操作、洗浄水の供給・停止のバルブ操作、洗浄水の水量調節のためのバルブ操作を一つの操作レバー２１によって行うことができるとともに、給水管上に設けるバルブ９は一つでよいので、部品点数が少なく、製造コストの節約になる。
【００４９】
（４）その他の実施の形態
なお、本発明は以上のような実施の形態に限定されるものではなく、各部材の配置、大きさ、形状、材質等は適宜変更可能である。
【００５０】
例えば、図１６に示すような一つの実施の形態も構成可能である。すなわち、可動絞りローラ１２の近傍に、楔形の開離用カム３８を、そのスライド移動により可動絞りローラ１２の軸に接離可能に設ける。この開離用カム３８は、レバー操作により可動絞りローラ１２の軸に接する方向に付勢可能に設けられるとともに、復帰ばね等により可動絞りローラ１２から離れる方向に付勢されている。そして、この開離用カム３８には、その移動位置によって回転カム１６に当接する突起３８ａが形成されている。
【００５１】
このような構成の実施の形態の作用効果は以下の通りである。すなわち、運転時においては、復帰ばねの付勢力によって、開離用カム３８が可動絞りローラ１２から離れている。従って、可動絞りローラ１２は固定絞りローラ１１に圧着されている。次に、運転停止時には、停止のためのレバー操作と連動させて、開離用カム３８を可動絞りローラ１２側に移動させる。すると、惰性で回転する回転カム１６が、開離用カム３８の突起３８ａに当接するので、開離用カム３８が可動絞りローラ１２の軸に当接する方向にさらに移動する。そして、開離用カム３８の傾斜縁によって、可動絞りローラ１２が押し上げられ、可動絞りローラ１２と固定絞りローラ１１とが開離するとともに、固定絞りローラ１１及び回転カム１６が停止する。再起同時には、回転カム１６がその回転により突起３８ａから外れ、開離用カム３８は、復帰ばねによって可動絞りローラ１２から離れ、可動絞りローラ１２は固定絞りローラ１１に圧着する。
【００５２】
以上のように、絞りローラを開離させるための開離用カムは、可動絞りローラと同軸である必要はない。基本的に、固定絞りローラと連動する回転カムと離れて設けられていて、ＯＦＦ状態にするために操作レバーを下方に回動させたときに、この回転カムとの接触によって可動絞りローラを持ち上げることができるものであれば、どのような構造でも良い。可動絞りローラの軸に操作レバーを取り付け、これに開離用カムを設けても良い。
【００５３】
また、開離用カムの形状は扇形に限定されない。回転カムと接触しない非接触部と、回転カムと接触する接触部とを有し、接触した後は可動絞りローラを固定絞りローラから開離させる方向に移動させるものであれば、楕円形、長方形などその他の形状であってもよい。このカムの周面は、徐々にカムの半径が大きくなるような形状にすることもできる。
【００５４】
また、上記実施の形態における各ローラの従動側と駆動側の上下関係は、逆にすることも可能である。そして、可動絞りローラを付勢する手段は、その軸に直接スプリングを付けて引っ張るものであってもよい。
【００５５】
また、開離用カム１７の切欠部１７ａは、開離用カム１７が可動絞りローラ１２を持ち上げる位置まで回転したときに、ストッパー１４ｂと開離用カム１７の前方の縁とが接触することを避けるために設けられたものである。従って、ストッパー１４ｂの位置を変えたり、開離用カム１７にストッパー１４ｂに当てるための突起を設けることなどにより、開離用カム１７の前方の縁がストッパー１４ｂに当たらないようにした場合には、このような切欠部１７ａは不要である。
【００５６】
また、マットをフレーム内に取り込む送り機構や、マットを洗浄する洗浄機構は、他の公知の機構であればどのような構造のものであってもよい。洗浄に使用する洗浄液も、単なる水に限定するものではなく、洗剤等を混合させることも可能である。
【００５７】
【発明の効果】
以上のような本発明によれば、駆動源の運転・停止操作と絞りローラの圧着・開離操作とを軽い力で同期させて行うことが可能なマット洗浄機を提供することができる。
【００５８】
また、本発明によれば、駆動源の運転・停止操作、絞りローラの圧着・開離操作、洗浄液の供給・停止操作、洗浄液量の調節操作を、単一の操作レバーで行うことが可能なマット洗浄機を提供することができる。
【図面の簡単な説明】
【図１】本発明のマット洗浄機の一つの実施の形態を示す正面側斜視図である。
【図２】図１の実施の形態の一部透視右側面図である。
【図３】図１の実施の形態の右側面図である。
【図４】図１の実施の形態の左側面図である。
【図５】図１の実施の形態の一部透視左側面図である。
【図６】図１の実施の形態の運転時におけるリンク機構を示す側面図である。
【図７】図１の実施の形態の操作レバーの操作途中におけるリンク機構を示す側面図である。
【図８】図１の実施の形態の運転時におけるスイッチプレートを示す側面図である。
【図９】図１の実施の形態の操作レバーの操作途中におけるスイッチプレートを示す側面図である。
【図１０】図１の実施の形態の運転時における開離用カム及び回転カムを示す側面図である。
【図１１】図１の実施の形態の運転停止操作開始時の開離用カム及び回転カムを示す側面図である。
【図１２】図１の実施の形態の運転停止時の開離用カム及び回転カムを示す側面図である。
【図１３】図１の実施の形態の絞りローラの回転停止時の開離用カム及び回転カムを示す側面図である。
【図１４】図１の実施の形態の再起動操作開始時の開離用カム及び回転カムを示す側面図である。
【図１５】図１の実施の形態の再起動時の開離用カムの復帰を示す側面図である。
【図１６】本発明の他の実施の形態における開離用カム及び回転カムを示す側面図である。
【符号の説明】
１…フレーム
１ａ…マット挿入口
１ｂ…ガイド孔
１ｃ…軸受け穴
２…固定送りローラ
３…可動送りローラ
３ａ，４ａ，１２ａ，１４ａ，１８ｂ…軸
４…ブラケット
５…ばね
６ａ，６ｂ…ブラシローラ
７…ノズル
７ａ，７ｂ…配管
８…給水パイプ
９…バルブ
１１…固定絞りローラ
１２…可動絞りローラ
１３…付勢プレート
１４…圧着レバー
１５…圧着ばね
１６…回転カム
１７，３８…開離用カム
１７ａ…切欠部
１７ｂ…当接部
１７ｃ…締結部
１８…付勢リンク
１８ａ…長孔
１９…回動リンク
１９ａ，２６ａ…押圧部
２０…スライドリンク
２１…操作レバー
２２…ワイヤ
２４…復帰ばね
２５…プーリ
２６…スイッチプレート
２７…配電盤
２８…スイッチ
２９…保着部
３０…駆動ギア
３１…大ギア
３２…小ギア
３３，３４…チェーン
３５…モータ
３５ａ…回転軸
３６…ベルト
３７…大プーリ
３８ａ…突起
【図１】
0003875324.tif 000002
【図２】
0003875324.tif 000003
【図３】
0003875324.tif 000004
【図４】
0003875324.tif 000005
【図５】
0003875324.tif 000006
【図６】
0003875324.tif 000007
【図７】
0003875324.tif 000008
【図８】
0003875324.tif 000009
【図９】
0003875324.tif 000010
【図１０】
0003875324.tif 000011
【図１１】
0003875324.tif 000012
【図１２】
0003875324.tif 000013
【図１３】
0003875324.tif 000014
【図１４】
0003875324.tif 000015
【図１５】
0003875324.tif 000016
【図１６】
0003875324.tif 000017